(57)【要約】      （修正有）【課題】産廃紙管を、強度を補強する補強部材及び結束バンド等のガイド部材として利用（兼用）することにより、積載品の強固な固定を可能としつつ、重量物の安定な輸送を可能とする紙管付ダンボールパレットを提供する。【解決手段】物品が積載される搭載面を形成する天板１０と、天板１０と対向配置されて底面を形成する底板３０と、天板１０及び底板３０の間に介装される桁部材２０とを備え、対向配置された天板１０と底板３０の四隅に介装される桁部材２０Ａは、ダンボールシートが積層形成された積層ブロック２０ａと紙管２０ｂとが一体に形成されている。【選択図】図１
0003217545.tif 000002
【実用新案登録請求の範囲】
【請求項１】
物品が積載される搭載面を形成する天板と、前記天板と対向配置されて底面を形成する底板と、前記天板及び前記底板の間に介装される桁部材とを備え、
対向配置された前記天板と前記底板の四隅に介装される前記桁部材は、ダンボールシートが積層形成された積層ブロックと紙管とが一体に形成されていることを特徴とする紙管付ダンボールパレット。
【考案の詳細な説明】
【技術分野】
【０００１】
本考案は、積載品を搭載した状態でフォークリフト等を用いて運搬する際に用いられるダンボールパレットに関し、特に、積載品を固定する際の結束バンドが挿通される紙管を有するダンボールパレットに関する。
【背景技術】
【０００２】
近年、荷役作業等の際、フォークリフトやハンドリフトの爪を差し込んで持ち上げるパレットの素材として、社会的な環境意識の向上と相俟って、１００％リサイクル可能な環境に優しい素材であるダンボールが注目されており、種々のダンボールパレットが提案されている（例えば、特許文献１参照）。
【０００３】
ここで、特許文献１には、個別梱包を要することなくロール状物を段積みして輸送するために、フォーク穴が形成された本体部、ロール状物の芯材の端部を載置する切り欠きを有し本体部上面に配置されたスリーブ部材等を備え、本体部、スリーブ部材及びその他の構成部材をダンボールで作成したダンボールパレットが開示されている。
【先行技術文献】
【特許文献】
【０００４】
【特許文献１】特許第４４２０２５７号公報
【考案の概要】
【考案が解決しようとする課題】
【０００５】
ところで一般に、パレットに搭載された積載品の輸送時（搬送時）における安定性を確保するためには、例えば、特許文献１の図７に示されているように、結束バンド、ストレッチフィルム、紐等の結束部材による積送品の固定が必要となる。しかしながら、ダンボールパレットでは、その素材自体が基本的に柔らかいため、強固な固定のために結束バンド等を強く締めると当該バンド等がダンボールに食い込み結束が緩み易くなるといった問題が生じていた。
【０００６】
また、特に、重量が大きい積載品の場合、ダンボールパレットでは、結束バンド等による固定が難しいため、必然的に、従来は木製のパレットを使用せざるを得ず、コストや使用後の廃棄等に問題が生じているという現状があった。
【０００７】
本考案は、上述のような従来技術の問題点に鑑みてなされたものであり、中空肉厚で強度の高い産廃紙管を、パレットの強度を補強する補強部材及び結束バンド等のガイド部材として利用（兼用）することにより、パレットに搭載された積載品の強固な固定を可能としつつ、重量物の安定な輸送を可能とする耐荷重性及び搬送安定性の高いダンボールパレットを簡易な構成で安価に提供することを目的とする。
【課題を解決するための手段】
【０００８】
上記目的を達成するために、本考案に係る紙管付ダンボールパレットは、物品が積載される搭載面を形成する天板と、前記天板と対向配置されて底面を形成する底板と、前記天板及び前記底板の間に介装される桁部材とを備え、対向配置された前記天板と前記底板の四隅に介装される前記桁部材は、ダンボールシートが積層形成された積層ブロックと紙管とが一体に形成されていることを特徴とするものである。
【０００９】
このように構成した場合には、一般に産業廃棄物として入手が容易であり、リサイクル可能な肉厚の紙管を適宜カットしたものを流用して、重量物の安定した輸送及び耐荷重性の向上を可能とするダンボールパレットを簡易な構成で安価に実現することができる。
【考案の効果】
【００１０】
本考案によれば、リサイクル性の高い産廃紙管を流用して、重量物の安定した輸送及び耐荷重性の向上を可能とするダンボールパレットを簡易な構成で安価に実現することができる。
【図面の簡単な説明】
【００１１】
【図１】本考案に係る紙管付ダンボールパレットの構成を示す模式的斜視図である。
【図２】本考案に係る紙管付積層桁の構成を示す模式図である。
【図３】本考案に係る積層桁の構成を示す模式図である。
【図４】本考案に係る紙管付ダンボールパレットに重量物を搭載した状態を示す模式図である。
【考案を実施するための形態】
【００１２】
以下、本考案の一実施の形態について、図１〜図４を参照して説明する。ここで、図１は、全体構成を示す模式図であり、図２、図３は、その構成要素を示す模式図であり、図４は、重量物を搭載した状態を示す模式図である。
【００１３】
図１に模式的に示すように、本実施の形態に係る紙管付ダンボールパレット１は、物品が積載される天板１０、底面を形成する底板３０、天板１０と底板３０との間に介装されてフォークリフト等の刃が挿入される空間を形成する複数の柱状の桁部材２０を備えている。
【００１４】
本実施の形態において、天板１０及び底板３０は、例えば、予め所定の大きさにカットした強化ダンボールシート（ダブルタイプの複両面ダンボール）を２枚から３枚積層して貼り合せた厚いボード状に形成されている。
【００１５】
一方、桁部材２０は、複数のダンボールシートが積層された断面略方形の積層ブロック２０ａと中空円筒状の紙管２０ｂとが一体に形成された紙管付積層桁２０Ａと、複数のダンボールシートが積層された断面略方形の積層ブロック２０ａのみで形成された積層桁２０Ｂとの２種類の桁部材で構成されている。
【００１６】
本実施の形態に係る紙管付積層桁２０Ａは、図２に最も良く示されるように、略直方体形状の積層ブロック２０ａと、この積層ブロック２０ａの隣接する（直交する）２辺（面）に接着された紙管２０ｂとが、カバー部材２０ｃ内に一体に収容されている。
【００１７】
具体的には、積層ブロック２０ａは、ダンボールシートを何枚も貼り合わせた積層シートであり、その周縁部の互いに直交する二辺（二面）には、カットした肉厚のある紙管が一体的に隣接配置（接着配置）されている。
【００１８】
また、紙管２０ｂとしては、一般に産業廃棄物として入手が容易であり、リサイクル可能な肉厚の紙管（例えば、肉厚１５ｍｍの３インチ紙管）を適宜カットしたものを流用（利用）することができる。
【００１９】
そして、積層ブロック２０ａ及び紙管２０ｂを、ダンボールシートにて形成した不図示の箱状収容体内に一旦収容して接着した上、紙管２０ｂの端部が露出するように、対応する箱状収容体の端部を切り落としてカバー部材２０ｃが形成されている。なお、本実施の形態において、カバー部材２０ｃは、ダンボールシートにて形成することができる。
【００２０】
また、本実施の形態において、紙管付積層桁２０Ａの大きさは、平面視で、各一辺が１５０〜２００ｍｍの略直方体形状であり、その高さは９０〜１２０ｍｍに形成されている。
【００２１】
なお、本実施の形態では、積層ブロック２０ｂとカバー部材２０ｃとの接着性を考慮して、各ダンボールシートを水平に配置して積層した積層ブロック２０ａの形態を例示しているが、重量物を搭載する際の耐荷重性能の増大等を企図して、ダンボールシートを垂直に配置して積層してもよい（図４参照）。
【００２２】
このように、積層ブロック２０ａ及び紙管２０ｂをカバー部材２０ｃ内に収容して一体化することにより、積層ブロック２０ａと補強部材としての紙管２０ｂとの一体性を向上させてダンボールパレット１の耐荷重性の増大に寄与するのみならず、紙管２０ｂを積載品を固定する際の結束バンドを挿通するガイド部材として兼用させることができる。すなわち、図４に模式的に示すように、紙管２０ｂに、結束バンドＦＢが挿通されるガイド孔と補強部材の機能とを兼用させて、部品点数の削減に伴うコストダウンに寄与することができる。なお、図４は、φ８００ｍｍ、８００〜１，０００ｋｇ／本の大型ロール物ＲＬを結束バンドＦＢで固定してダンボールパレット１に搭載した状態を模式的に示している。
【００２３】
また、カバー部材２０ｃ内に一体に収容形成されているので、積層ブロック２０ａを構成するダンボールシートの積層方向も荷重・用途等に応じて適宜任意に採用することができる（例えば、図１に示すようなダンボールシートの水平配列や、図４に示すような重量積載品（略８００ｋｇ）の場合のダンボールシートの垂直配列）。さらに、積層ブロック２０ａの積層方向に依らず、紙管付積層桁２０Ａと天板１０及び底板３０との接着性を向上させることができる。
【００２４】
なお、本実施の形態において、積層桁２０Ｂについては、上記紙管付積層桁２０Ａの紙管２０ｂ及びカバー部材２０ｃを省略した簡易な構成とすることができる。
【００２５】
そして、図１に最も良く示されるように、天板１０と底板３０との間の所定の箇所（本例では、奥行き方向及び幅方向の両端部、中央部に３箇所ずつ、計３×３＝９箇所）に複数の桁部材２０を設け、両面接合装置等を用いて、天板１０、桁部材２０、底板３０が一体的に接合されている。
【００２６】
より具体的には、紙管付積層桁２０Ａは、対向配置された天板１０と底板３０との四つのコーナー部（四隅部）に配置されるのに対し、積層桁２０Ｂは、天板１０（底板３０）の中間部（４か所）及び中央部の計５か所に配置されている。
【００２７】
なお、パレットの大きさや耐荷重は積載する機器類の大きさや重量に応じて適宜選定することができる。
【００２８】
以上説明したように、本考案に係る紙管付ダンボールパレット１によれば、一般に産業廃棄物として入手が容易であり、リサイクル可能な肉厚の紙管（例えば、肉厚１５ｍｍの３インチ紙管）を適宜カットしたものを流用して、重量物の安定した輸送及び耐荷重性の向上を同時に可能とするダンボールパレットを簡易な構成で安価に実現することができる。
【００２９】
また、積層ブロック２０ａ及び紙管２０ｂをカバー部材２０ｃ内に収容して一体化することにより、積層ブロック２０ａと紙管２０ｂとの一体性を向上させてダンボールパレット１の耐荷重性の増大並びに接着作業性の向上に寄与するのみならず、紙管２０ｂを結束部材を挿通させるガイド部材として兼用させて、部品点数の削減に伴う小型化やコストダウンに寄与することができる。
【００３０】
なお、本考案の技術的範囲は上述した実施の形態に限定されるものではなく、本考案の要旨に逸脱しない範囲において多様な変更もしくは改良を加え得るものである。例えば、実施の形態で例示した紙管付積層桁２０Ａは、ダンボールパレットのみならず、木製パレット、樹脂パレット、スチールパレット等任意のパレットに適用することができる。
【符号の説明】
【００３１】
１      紙管付ダンボールパレット
１０    天板
２０    桁部材
２０Ａ  紙管付積層桁
２０ａ  積層ブロック
２０ｂ  紙管
２０ｃ  カバー部材
２０Ｂ  積層桁
３０    底板
ＦＢ    結束バンド
ＲＬ    ロール物
【図１】
0003217545.tif 000003
【図２】
0003217545.tif 000004
【図３】
0003217545.tif 000005
【図４】
0003217545.tif 000006